(57)【要約】【課題】  小型でアクチュエータまで含めたレンズ全体が形状の自由度があり、しかも数Ｖ程度の低電圧で駆動可能な、可変形状液体型の可変焦点レンズを提供する。  【解決手段】  袋状の透明な可撓性膜により形成されると共に内部に透明な液体が充填されたレンズ本体５０と、レンズ本体５０に一体的に形成され且つ外部より電気的に駆動可能な、レンズ本体５０用のアクチュエータ６０として機能するイオン導電性高分子・金属接合体（ＩＰＭＣ）とを持つ。ＩＰＭＣを外部から電気的に駆動してレンズ本体５０を変形させることにより、焦点距離を変化させる。【選択図】  図１
2008058841.tif 000002
【特許請求の範囲】
【請求項１】
袋状の透明な可撓性膜により形成されると共に内部に透明な液体が充填されたレンズ本体と、
前記レンズ本体に一体的に形成され且つ外部より電気的に駆動可能な、前記レンズ本体用のアクチュエータとして機能するイオン導電性高分子・金属接合体とを備え、
前記イオン導電性高分子・金属接合体を外部から駆動して前記レンズ本体を変形させることにより、焦点距離を変化させることを特徴とする可変焦点レンズ。
【請求項２】
前記可撓性膜がイオン交換膜であり、前記イオン導電性高分子・金属接合体が前記レンズ本体の内面と外面にそれぞれ形成された一対の可撓性電極を有しており、前記透明な液体が極性分子からなる液体とされている請求項１に記載の可変焦点レンズ。
【請求項３】
前記イオン導電性高分子・金属接合体を形成するイオン交換膜によって、前記レンズ本体が形成されている請求項２に記載の可変焦点レンズ。
【請求項４】
前記レンズ本体が、前記イオン導電性高分子・金属接合体を形成する２枚のイオン交換膜を袋状に接合して形成され、それらイオン交換膜の各々の内外両面に前記一対の可撓性電極が装着されている請求項１に記載の可変焦点レンズ。
【請求項５】
前記イオン導電性高分子・金属接合体が、前記レンズ本体とは別体に形成されていて、前記イオン導電性高分子・金属接合体が前記レンズ本体に接着されて一体化されている請求項１に記載の可変焦点レンズ。
【請求項６】
前記イオン導電性高分子・金属接合体が前記レンズ本体の内部に配置され、前記イオン導電性高分子・金属接合体への電圧の供給は、前記レンズ本体を貫通して装着された導通部材を介して行われる請求項５に記載の可変焦点レンズ。
【請求項７】
前記イオン導電性高分子・金属接合体が、イオン交換膜と、そのイオン交換膜の両面に形成された一対の駆動電極とを備えており、前記一対の駆動電極のいずれか一方が前記レンズ本体に接触している請求項５または６に記載の可変焦点レンズ。
【請求項８】
前記イオン導電性高分子・金属接合体が、前記レンズ本体に一体的に形成された一対の可撓性電極を有しており、当該一対の可撓性電極は透明であって、当該可変焦点レンズの瞳部分の全面を少なくとも覆うように形成されている請求項１に記載の可変焦点レンズ。
【請求項９】
前記透明な液体が水である請求項１〜８のいずれか１項に記載の可変焦点レンズ。
【発明の詳細な説明】
【技術分野】
【０００１】
本発明は可変形状液体型の可変焦点レンズに関し、さらに言えば、携帯電話など小型携帯端末機に搭載されるカメラの自動焦点機構や、人工水晶体や内視鏡などの人体内で使用される医用機器への搭載に適した、小型、低電圧駆動で形状の自由度が大きい可変焦点レンズに関する。
【背景技術】
【０００２】
カメラや望遠鏡などの焦点距離調節機能を有する光学装置のレンズ系においては、多くの場合、複数のレンズ間の距離を変化させて焦点距離を変化させることが一般的である。そして、それらレンズの移動には機械機構、モータなどの機械要素機構が利用される。これに対し、レンズの位置関係を動かすことなく、例えば電気的な制御信号のみによってレンズの焦点距離を変化させることができるレンズを「可変焦点レンズ」と呼ぶ。可変焦点レンズには、可変形状液体型と可変屈折率型の２つのタイプがある。
【０００３】
可変形状液体型の可変焦点レンズは、レンズ状の袋の内部に液体を充填しておき、その袋の表面の曲率半径をアクチュエータを用いて変化させることによって焦点距離を変化させるものである。従来の可変形状液体型の可変焦点レンズの具体例は、非特許文献１及び非特許文献２に記載されている。非特許文献１及び２に記載された可変焦点レンズでは、ＰＺＴ等の圧電性セラミックスをアクチュエータとして用いており、内部にシリコーンオイルなどの液体を封入したレンズ状の透明な袋に当該アクチュエータで力を印加して、その袋の表面の曲率半径を変えることにより、焦点距離を変化させている。
【０００４】
これに対し、可変屈折率型の可変焦点レンズは、電圧を印加することにより屈折率が変化する固体をレンズ状に成型し、あるいは電圧を印加することにより屈折率が変化する液体をレンズ状の空間に封入しておき、当該固体または液体に印加する電圧を変えることによって、当該レンズの焦点距離を変化させるものである。したがって、レンズ形状が同じであっても、その構成材料の屈折率が変わるとレンズの焦点距離が変化することになる。
【０００５】
なお、可変屈折率型の可変焦点レンズでは、焦点距離の変化は、構成材料の屈折率の電圧に対する変化の度合い（電気光学定数）によって決まるが、焦点距離の変化は可変形状液体型の可変焦点レンズに比べて小さいのが通常である。したがって、焦点距離の変化をある程度広範囲で得たい場合は、可変形状液体型の可変焦点レンズの方が好ましい。
【非特許文献１】金子卓ほか、「可変焦点レンズを用いたデジタル全焦点顕微システム」、デンソーテクニカルレビュー、第５巻第１号（２０００年）、２７頁−３２頁
【非特許文献２】奥寛雅ほか「キロヘルツオーダで応答可能な高速ビジョンチップ用可変焦点レンズの構造」、光学、第３１巻第１０号（２００２年）、７５８頁−７６４頁
【発明の開示】
【発明が解決しようとする課題】
【０００６】
上述した従来の可変形状液体型の可変焦点レンズでは、使用している圧電型アクチュエータの応答速度が速く発生力も大きいため、当該レンズの焦点距離の変化が高速である、という利点がある。しかし、圧電型アクチュエータの駆動電圧が１００Ｖ〜２００Ｖと高いため、電池を使用する携帯情報端末機器に使用するには適していない。また、人工水晶体や内視鏡などの体内で使用する医用機器への適用を考えると、危険が伴う。
【０００７】
さらに、圧電型アクチュエータを用いていることから、レンズ本体は柔軟性を有するが当該アクチュエータまで含めたレンズ全体では形状の自由度はなく、したがって人工水晶体として人体に使用するには無理がある。
【０００８】
本発明は、上述した従来の可変形状液体レンズにおけるこのような問題点を解決するためになされたものであり、その目的とするところは、小型でアクチュエータまで含めたレンズ全体に形状の自由度があり、しかも数Ｖ程度の低電圧で駆動可能な、可変形状液体型の可変焦点レンズを提供することにある。
【０００９】
本発明の他の目的は、携帯情報端末機器への搭載が可能であると共に、人工水晶体として人体に装着したり内視鏡などの医用機器に搭載する場合にも危険が少ない、可変形状液体型の可変焦点レンズを提供することである。
【００１０】
ここに明記しない本発明の他の目的は、以下の説明及び添付図面から明らかであろう。
【課題を解決するための手段】
【００１１】
（１）  本発明の可変焦点レンズは、袋状の透明な可撓性膜により形成されると共に内部に透明な液体が充填されたレンズ本体と、前記レンズ本体に一体的に形成され且つ外部より電気的に駆動可能な、前記レンズ本体用のアクチュエータとして機能するイオン導電性高分子・金属接合体とを備え、前記イオン導電性高分子・金属接合体を外部から駆動して前記レンズ本体を変形させることにより、焦点距離を変化させることを特徴とするものである。
【００１２】
（２）  本発明の可変焦点レンズでは、上述した構成を持つレンズ本体にイオン導電性高分子・金属接合体を一体的に形成し、当該イオン導電性高分子・金属接合体を外部より電気的に駆動することによって、前記レンズ本体を変形させて焦点距離を変化させている。前記レンズ本体は、可撓性膜を袋状に形成したものであるから、形状の自由度がある。また、前記レンズ本体に一体的に形成された前記イオン導電性高分子・金属接合体は、形状の自由度があり、しかも２〜３Ｖ程度の電圧の印加で駆動可能である。したがって、本発明の可変焦点レンズは、小型でアクチュエータまで含めたレンズ全体について形状の自由度があり、また数Ｖ程度の低電圧で駆動可能である。
【００１３】
よって、本発明の可変焦点レンズは、携帯情報端末機器への搭載が可能であり、しかも、人工水晶体として人体に装着したり内視鏡などの医用機器に搭載する場合にも危険が少なくてすむ。
【００１４】
（３）  本発明の可変焦点レンズの好ましい例では、前記可撓性膜がイオン交換膜であり、前記イオン導電性高分子・金属接合体が前記レンズ本体の内面と外面にそれぞれ形成された一対の可撓性電極を有しており、前記透明な液体が極性分子からなる液体とされる。
【００１５】
本発明の可変焦点レンズの他の好ましい例では、前記イオン導電性高分子・金属接合体を形成するイオン交換膜によって、前記レンズ本体が形成される。この場合、好ましくは、前記レンズ本体が、前記イオン導電性高分子・金属接合体を形成する２枚のイオン交換膜を袋状に接合して形成され、それらイオン交換膜の各々の内外両面に前記一対の可撓性電極が装着される。
【００１６】
本発明の可変焦点レンズの他の好ましい例では、前記イオン導電性高分子・金属接合体が、前記レンズ本体とは別体に形成されていて、前記イオン導電性高分子・金属接合体が前記レンズ本体に接着されて一体化される。この例では、好ましくは、前記イオン導電性高分子・金属接合体が前記レンズ本体の内部に配置され、前記イオン導電性高分子・金属接合体への電圧の供給は、前記レンズ本体を貫通して装着された導通部材を介して行われる。また、前記イオン導電性高分子・金属接合体が、イオン交換膜と、そのイオン交換膜の両面に形成された一対の駆動電極とを備えており、前記一対の駆動電極のいずれか一方が前記レンズ本体に接触せしめられてもよい。
【００１７】
本発明の可変焦点レンズのさらに他の好ましい例では、前記イオン導電性高分子・金属接合体が、前記レンズ本体に一体的に形成された一対の可撓性電極を有しており、当該一対の可撓性電極は透明であって、当該可変焦点レンズの瞳部分の全面を少なくとも覆うように形成される。
【００１８】
本発明の可変焦点レンズのさらに他の好ましい例では、前記極性分子から成る液体が水とされる。
【発明の効果】
【００１９】
本発明の可変焦点レンズでは、（ａ）小型でアクチュエータまで含めたレンズ全体に形状の自由度があり、しかも数Ｖ程度の低電圧で駆動可能である、（ｂ）携帯情報端末機器への搭載が可能であると共に、人工水晶体として人体に装着したり内視鏡などの医用機器に搭載する場合にも危険が少ない、という効果がある。
【発明を実施するための最良の形態】
【００２０】
以下、本発明の好適な実施の形態について、添付図面を参照して詳細に説明する。
【００２１】
（第１実施形態）
図１は、本発明の第１実施形態に係る可変焦点レンズの構成を示す断面図、図２はその平面図である。
【００２２】
本発明の第１実施形態に係る可変焦点レンズは、図１に示すように、透明なフッ素系イオン交換膜１及び２の周辺部を接合して袋状に形成されたレンズ本体５０と、このレンズ本体５０を駆動するためのアクチュエータ６０とを備えている。
【００２３】
レンズ本体５０は、円環状の鍔部と、鍔部の内側にある球面状の湾曲部から構成されている。湾曲部の内部の空洞には、水７が充填されていて、それによって全体が凸レンズの形状を保持している。
【００２４】
レンズ本体５０の湾曲部の外面及び内面には、湾曲部と鍔部の境界に近い箇所において、円環状の金（Ａｕ）または白金（Ｐｔ）等の貴金属からなる一対の駆動電極３がそれぞれ形成されている。換言すれば、レンズ本体５０を構成する上側のイオン交換膜１の外面と内面に、円環状の駆動電極３がそれぞれ形成されており、イオン交換膜１はその両側から一対の円環状の駆動電極３によって挟まれている。同様に、レンズ本体５０を構成する下側のイオン交換膜２の外面と内面にも、円環状の駆動電極４がそれぞれ形成されており、イオン交換膜２はその両側から一対の円環状の駆動電極４によって挟まれている。
【００２５】
レンズ本体５０の鍔部の一面（図１では上面）には、電極パッド５が設けられており、イオン交換膜１の外面にある駆動電極３に接続されている。電極パッド５は、駆動電極３に外部から電圧を引加するための端子である。同様に、レンズ本体５０の鍔部の他面（図１では下面）には、電極パッド６が設けられており、イオン交換膜２の外面にある駆動電極４に接続されている。電極パッド６は、駆動電極４に外部から電圧を引加するための端子である。
【００２６】
イオン交換膜１とイオン交換膜２は、必ずしも同じ曲率半径で形成される必要はない。イオン交換膜１とイオン交換膜２は、周辺部で接着剤を用いて互いに接着され、内部に凸レンズ状の空洞が形成されていればよい。
【００２７】
駆動電源８は、イオン交換膜１及び２に設けた駆動電極３及び４の間に所定の電圧を供給するためのものである。
【００２８】
イオン交換膜１及び２としては、例えばフッ素系のナフィオン（デュポン社の登録商標）、アシプレックス（旭化成の登録商標）またはフレミオン（旭硝子の登録商標）を使用するのが好ましい。この場合、対イオンは陽イオンで、リチウムイオンやナトリウムイオン、テトラエチルアンモニウムイオンやテトラメチルアンモニウムイオンなどのアルキルアンモニウムイオンなどにイオン置換を行って使用する。
【００２９】
図１に示す形状（中央に球面状の窪みを有する）のイオン交換膜１または２は、例えば顆粒状のイオン交換樹脂を鋳型に入れ、加熱しながら加圧することにより得られる。また、イオン交換膜１または２への駆動電極３または４の形成は、金や白金などの貴金属を無電解めっきすることによって行う。この無電解めっきは、例えば次のようにして行うことができる。まず、駆動電極３または４用の金属の錯体水溶液（白金アンミン錯体、金フェナントロリン錯体）中にイオン交換膜１または２を一昼夜以上、浸し、イオン交換によって錯体をイオン交換膜１または２内に吸着させる。その後、適当な還元剤水溶液中で還元する。還元条件を適当に設定すれば、イオン交換膜１または２の表面に適当に食い込んだ形の接合強度の強い金属層が還元析出し、駆動電極３または４が形成される。その際に、イオン交換膜１または２の一部をマスクでカバーした状態で無電解めっきを行えば、図１に示したパターンを持つ駆動電極３または４が得られる。
【００３０】
電極バッド５または６についても、駆動電極３または４と同様にして形成することができる。通常、駆動電極３または４は、電極バッド５または６と同じ材料で形成されるから、無電解めっきの際に使用するマスクの形状を変えれば、駆動電極３または４と同時に電極バッド５または６も形成することができる。
【００３１】
上述した構成を持つ可変焦点レンズの動作原理は次の通りである。
【００３２】
イオン交換膜１及び２は、レンズ本体５０の空洞部に満たされた水７を吸収して膨潤する。このとき、イオン交換膜１及び２の内側の対イオンの周囲には、極性（正と負に分極した）分子である水分子が、対イオンの作る静電気力で多数引き付けられて水和し、水和イオンを形成する。イオン交換膜１及び２の両面に設けた電極３及び４の間に電圧を引加しない状態では、これらの水和イオンはイオン交換膜１及び２の内部に均一に分布するが、両電極３及び４の間に電圧を印加すると、電界の方向に正の電荷をもつ水和イオンが移動する。その結果、水和イオンが集まった側のイオン交換膜１及び２の面は水で膨潤して伸び、反対側の面は水分子の濃度が減少して収縮する。つまり、イオン交換樹脂膜１及び２の内部で含水率に偏りが生じることにより、含水率の高い部分は膨潤し、含水率の低い部分は収縮する。このため、両側から電極３または４で挟まれたイオン交換膜１及び２は、バイメタル効果によって屈曲動作をする。屈曲した時の状態は図３（ｂ）のようになる。電圧の印加を停止すると、元の状態に戻り、図３（ａ）のようになる。この際、イオン交換膜１または２の両面に印加する電圧は１．５〜３Ｖ程度でよい。このように、イオン交換膜１及び２の屈曲動作により、レンズ本体５０の内部の水圧が変化し、それによってイオン交換膜１及び２の曲率半径が変化して、焦点距離が変わるのである。
【００３３】
本第１実施形態に係る可変焦点レンズでは、以上説明したように、内部に水１を充填したレンズ本体５０の曲率半径を、高分子アクチュエータの一種であるイオン導電性高分子・金属接合体(Ionic Polymer-Metal Composite:以下ＩＰＭＣともいう)を用いて変化させるものである。一般に、ＩＰＭＣは、フッ素系イオン交換樹脂膜の両面に金や白金などの貴金属を接合して電極を形成したもので、両電極間に１〜２Ｖ程度の電圧を加えることで１００Ｈｚ程度までの応答速度で屈曲動作をする。本第１実施形態では、アクチュエータとしてＩＰＭＣを用いると同時に、ＩＰＭＣを構成するフッ素系イオン交換樹脂膜１及び２自体をレンズ本体５０の袋状に成型し、その内部にＩＰＭＣを駆動する水７を封入している。しかし、イオン交換膜１と２とで形成される空洞内には、イオン交換膜１及び２中の対イオンのまわりに配向可能な極性分子で構成される液体を封入すればよい。なお、この液体としては、水以外に、アルコール、エチレングリコールやグリセリンが使用可能である。
【００３４】
本第１実施形態に係る可変焦点レンズは、レンズ本体５０をＩＰＭＣの構成要素であるイオン交換膜１及び２により形成していて、そのレンズ本体５０（イオン交換膜１及び２）の一部に駆動電極３及び４と電極パッド５及び６を一体的に形成することにより、アクチュエータ６０となるＩＰＭＣを構成しているため、小型であると共にアクチュエータ６０まで含めたレンズ全体に形状の自由度がある。また、アクチュエータ６０としてＩＰＭＣを用いているため、数Ｖ程度の低電圧で駆動可能である。よって、携帯情報端末機器への搭載が可能であると共に、人工水晶体として人体に装着したり内視鏡などの医用機器に搭載する場合にも危険が少ない可変焦点レンズが得られる。
【００３５】
（第２実施形態）
図４は、本発明の第２実施形態に係る可変焦点レンズの断面図である。
【００３６】
上述した第１実施形態では、アクチュエータ６０となるＩＰＭＣを構成するイオン交換膜１及び２により構成しているが、本第２実施形態では、これとは異なり、レンズ本体５０それ自体にはアクチュエータ機能を設けていない。本第２実施形態では、凸レンズ状の透明な袋１０によりレンズ本体５０を構成すると共に、レンズ本体５０とは別体として円環状のＩＰＭＣ９を形成し、そのＩＰＭＣ９を袋１０の内面の周辺部に接着剤で接着している。こうして、レンズ本体５０にアクチュエータ６０の機能を付与している。
【００３７】
袋１０は、シリコンゴム、ポリエチレン、ポリ塩化ビニル、ポリ塩化ビニリデンなどからなる可撓性を有する高分子膜で構成している。アクチュエータ６０としてのＩＰＭＣ９は、この可変焦点レンズの中心軸に対して対称に設けられているので、ＩＰＭＣ９に電圧を印加すれば、袋１０はその中心軸に対して対称に変形する。袋１０の内部には、ＩＰＭＣ９を駆動するのに必要な極性分子から成る液体１１、例えば水またはアルコール、エチレングリコール、グリセリンを封入している。袋１０の外部に引き出された電線１３及び１４の一端は、導電性の導通部材１２を介して袋１０の内部にあるＩＰＭＣ９に電気的に接続されている。ＩＰＭＣ９を駆動する際には、電線１３及び１４を介して外部からＩＰＭＣ９に電圧を供給する。
【００３８】
図５は、袋１０を導通部材１２と電線１３及び１４が貫通する部分の詳細構成を示す部分拡大断面図である。
【００３９】
図５に示すように、袋１０と、袋１０の内部に接着されたＩＰＭＣ９の一部には、両者を貫通する小孔が形成されており、その小孔に導通部材１２が挿通されている。導通部材１２は、ボルト及びナットと類似の構造を有している。導通部材１２の中心部には、円柱状の導電性部材１５が形成されており、その導電性部材１５は円筒状の絶縁部材１６で囲まれている。絶縁部材１６の外周面にはネジ山が形成されている。導電性部材１５の一端（袋１０の内部にある）には、導電性部材１５と同じ材料で頭部が一体形成されていて、全体がボルト状になっている。導体からなる締付部材１７は、絶縁部材１６のネジ山と螺合するネジ山を内周面に有している。絶縁部材１６に締付部材１７を差し込んで回すと相互に螺合するので、締付部材１７を締め付けることにより、導通部材１２を袋１０及びＩＰＭＣ９に対して固定することができる。
【００４０】
袋１０の内面に接着されたＩＰＭＣ９は、上述した第１実施形態と同様に、イオン交換膜１ａと、イオン交換膜１ａの内外両面にそれぞれ形成された駆動電極１８及び１９とを備えている。そして、駆動電極１８及び１９の間に電圧を印加することにより、屈曲動作をする。
【００４１】
導通部材１２の頭部（これは導電性部材１５と一体形成されている）は、ＩＰＭＣ９の内側の駆動電極１８に接触している。導体からなる締付部材１７は、ＩＰＭＣ９の外側の駆動電極１９に接触している。電線１３は、導体１５の他端（袋１０の外側にある）にハンダなどで接続されている。電線１４は、締付部材１７にハンダなどで接続されている。したがって、電線１３及び１４を介して外部から電圧を供給すれば、その電圧はＩＰＭＣ９の駆動電極１８及び１９の間に印加され、ＩＰＭＣ９はその電圧によって駆動される。
【００４２】
図５に示した構成は一例であり、ＩＰＭＣ９に外部から電圧を供給する構成はこれ以外であってもよいことは言うまでもない。
【００４３】
本第２実施形態の可変焦点レンズは、例えば次のようにして製作することができる。すなわち、図４に示した袋１０を二つの部分に（例えば上下二つに）分けて、円環状のＩＰＭＣ９の外周面に接着する。この場合、継目はＩＰＭＣ９の外周面上に来るから、継目による影響は抑制される。これら二つの部分に第１実施形態のような鍔部を設けて、それらの鍔部を接着するようにしてもよい。
【００４４】
袋１０の内部に充填されている液体１１は、例えば注射器を用いて注入する。注入時に袋１０に空ける微細孔は、公知の方法で後から塞げばよい。この微細孔を設ける位置は、当該可変焦点レンズの瞳以外の場所であれば、任意の位置に設定することができる。
【００４５】
上述したように、本第２実施形態の可変焦点レンズでは、レンズ本体５０を構成する袋１０の内面の周辺部に、レンズ本体５０とは別体に製作したＩＰＭＣ９を接着している。このため、上述した第１実施形態のように、レンズ本体５０を構成する袋１０をＩＰＭＣ９を構成するイオン交換膜１ａと同一の材料で形成する必要がなくなる。よって、上述した第１実施形態と同じ効果に加えて、袋１０を構成する材料の選択の自由度が大きく、力学的特性および光学的特性を考慮して最適の材料を選ぶことができる、という利点がある。
【００４６】
（第３実施形態）
本発明の第３実施形態の可変焦点レンズは、図示はしていないが、光学的に透明で可撓性の駆動電極をイオン交換膜の球面状曲面（レンズ状局面）の両面全体にわたって設けることにより、ＩＰＭＣを構成したものである。具体的に言えば、例えば、上述した第１実施形態における袋１、または上述した第２実施形態における袋１０の内面全体と外面全体に、それぞれ、透明で可撓性の駆動電極を形成したものである。このように構成しても、上述した第１実施形態と同じ効果が得られることは明らかである。
【００４７】
本第３実施形態で使用する透明で可撓性を持つ駆動電極は、公知の電子電導性高分子を使用して形成する。例えば、ポリチオフェン系導電性ポリマーをベースとした水系コーティング材を用いることができる。この水系コーティング材は、プラスチックやガラスに対する密着性が良好で、いったん乾燥させると耐水性がある。また、この導電性ポリマーは、写真フィルムの帯電防止層用にも使用され、全光線透過率８０％、表面抵抗率３００Ω／□の高導電タイプが開発されている。したがって、本発明の第３実施形態では、このような水系コーティング材が有効に利用できる。
【００４８】
なお、透明で可撓性を持つ駆動電極は、当該可変焦点レンズの瞳部分の全面を少なくとも覆っていれば足り、当該可変焦点レンズの全面を覆っていなくてもよい。
【００４９】
（変形例）
上述した第１〜第３の実施形態は本発明を具体化した例を示すものである。したがって、本発明はこれら実施形態に限定されるものではなく、本発明の趣旨を外れることなく種々の変形が可能であることは言うまでもない。
【００５０】
例えば、レンズ本体１５０を構成する袋１及び１０の形状は、任意であり、図１及び図２に示した形状、あるいは図４に示した形状に限定されるものではない。これは、駆動電極３及び４、駆動電極１８及び１９についても同様であり、図１及び図２あるいは図５に示した形状に限定されず、必要に応じて任意の形状とすることができる。使用する材料についても同様である。
【図面の簡単な説明】
【００５１】
【図１】本発明の第１実施形態に係る可変焦点レンズの断面図である。
【図２】本発明の第１実施形態を係る可変焦点レンズの平面図である。
【図３】本発明の第１実施形態に係る可変焦点レンズの動作を示す図であり、（ａ）は駆動電極間に電圧を印加しない時の状態を、（ｂ）は駆動電極間に電圧を印加した時の状態を示す。
【図４】本発明の第２実施形態に係る可変焦点レンズの断面図である。
【図５】本発明の第２実施形態に係る可変焦点レンズの電線貫通部分を示す部分拡大断面図である。
【符号の説明】
【００５２】
１、１ａ  イオン交換膜
２  イオン交換膜
３  駆動電極
４  駆動電極
５  電極パッド
６  電極パッド
７  水
８  駆動電源
９  ＩＰＭＣ（イオン導電性高分子・金属接合体）
１０  レンズ状の袋
１１  極性分子から成る液体
１２  導通部材
１３  電線
１４  電線
１５  導電性部材
１６  絶縁部材
１７  締付部材
１８  駆動電極
１９  駆動電極
５０  レンズ本体
６０  アクチュエータ
【図１】
2008058841.tif 000003
【図２】
2008058841.tif 000004
【図３】
2008058841.tif 000005
【図４】
2008058841.tif 000006
【図５】
2008058841.tif 000007